(57)【要約】【課題】発泡などによる液体の飛散を防止することができる液体滴下補助装置を提供することを目的とする。【解決手段】液体滴下補助装置として機能する樹脂基板５０には、血液を採取する円板と接する面（下面）と反対側の面（上面）にフィルム５２を貼りつけて備えており、吐出部（ノズル）がフィルム５２を破って貫通孔５１を介して穴の入口（円板の流路入口）にまで血液を滴下する際に発泡して穴の入口（流路入口）に滴下できなかった血液もフィルム５２により外に漏れ出ることなく穴の入口に再度入っていく。その結果、発泡などによる血液の飛散を防止することができる。【選択図】図３
2014211308.tif 000002
【特許請求の範囲】
【請求項１】
液体を滴下して採取する穴を有した容器に用いられる液体滴下補助装置であって、
前記液体滴下補助装置は、
前記容器の穴に連通する貫通孔を有し、
前記容器と接する面と反対側の面に貼りつけられた薄膜を備える
ことを特徴とする液体滴下補助装置。
【請求項２】
液体を滴下して採取する穴を有した容器に用いられる液体滴下補助装置であって、
前記液体滴下補助装置は、
前記容器の穴に連通する貫通孔を有し、
前記容器と接する面側の前記貫通孔の径が、前記接する面とは反対側の面側の前記貫通孔の径よりも大きいことを特徴とする液体滴下補助装置。
【請求項３】
請求項２に記載の液体滴下補助装置において、
前記接する面側の前記貫通孔の径が、前記容器の穴の径以下であり、
前記接する面とは反対側の面側の前記貫通孔の径が、前記液体滴下補助装置に向けて吐出する吐出部先端の径よりも大きいことを特徴とする液体滴下補助装置。
【請求項４】
請求項２または請求項３に記載の液体滴下補助装置において、
前記貫通孔の内壁面を斜面形状に形成することで、前記接する面側の前記貫通孔の径を、前記接する面とは反対側の面側の前記貫通孔の径よりも大きく形成することを特徴とする液体滴下補助装置。
【請求項５】
請求項２または請求項３に記載の液体滴下補助装置において、
前記貫通孔の内壁面を段差形状に形成することで、前記接する面側の前記貫通孔の径を、前記接する面とは反対側の面側の前記貫通孔の径よりも大きく形成することを特徴とする液体滴下補助装置。
【請求項６】
請求項１から請求項５のいずれかに記載の液体滴下補助装置において、
前記液体は血液であることを特徴とする液体滴下補助装置。
【発明の詳細な説明】
【技術分野】
【０００１】
この発明は、液体を滴下して採取する穴を有した容器に用いられる液体滴下補助装置に関する。
【背景技術】
【０００２】
液体滴下補助装置は、例えば液体採取装置に用いられる。液体採取装置として、血液を採取する、すなわち採血する採血装置を例にとって説明する。採血装置は、核医学診断（例えば、ＰＥＴ(Positron Emission Tomography)、ＳＰＥＣＴ（Single Photon Emission CT）など）における定量解析で用いられ、特に小動物（例えばマウスやラットなど）の動脈血中の放射能濃度の測定に用いられている。
【０００３】
具体的には、小動物に放射性薬剤を投与した後に血液を採取（採血）して、既定時間ごとの全採血終了後に遠心分離による血漿分離を行い、全血および血漿中の放射能濃度の時間変化を測定する（例えば、特許文献１、２参照）。図５に示すように、ＰＤＭＳ樹脂（Polydimethylsiloxane）からなる微小流体素子（液体分割デバイス）４０にカテーテル１４から血液が連続的に送り込まれる。微小流体素子４０上にあるＣＣＤカメラによって既定の採血量に到達したときにバルブ（図示省略）を操作して流れを制御し、気泡用配管４６から側路４２を通って主流路１３に気体を送り込み、測定対象の血液を円板（ＣＤウェル）２４に送り出す。円板２４には、図２に示すように、Ｕ字流路２６が３６本放射状に形成されている。気体によって送り出されたノズル２３（図５を参照）を通ってＵ字流路２６の入口（流路入口２５）に滴下され、当該流路２６に入っていく。
【０００４】
上述した手法は、血液のような高粘性で界面活性作用がある微少量の液体を一定圧の空気で送り出した場合に液滴にならずにノズル２３に代表される吐出部先端で発泡する。それによって、泡となった血液がＵ字流路２６の入口から溢れて全量が入らない問題、さらには流路入口２５から溢れた血液が隣接する流路に混入する問題が発生する。
【０００５】
そこで、血液等に代表される採取の対象となる液体の泡が流路入口２５以外に飛び散ることなく流路へ滴下させるために、円板２４に代表される容器に用いられる液体滴下補助装置がある（例えば、特許文献３参照）。この液体滴下補助装置は、図６に示すように、円板２４に接触して、円板２４のＵ字流路２６の入口に連通する貫通孔からなる注入口１５０ａを有した樹脂基板１５０からなる。また、樹脂基板１５０には空気穴１５０ｂを有しており、空気穴１５０ｂを通して空気を逃すことができる。
【先行技術文献】
【特許文献】
【０００６】
【特許文献１】国際公開第ＷＯ２００９−０９３３０６号
【特許文献２】特開２０１１−０７５４２００号公報
【特許文献３】特許第３９５５６１８号
【発明の概要】
【発明が解決しようとする課題】
【０００７】
しかしながら、このような空気穴を有する樹脂基板の場合には、フォトリソグラフィ技術等により樹脂基板に対して加工しなければならないという問題がある。したがって、空気穴のような特別な加工を施すことなく、従来の貫通孔（注入口）を利用して発泡などによる液体の飛散を防止することが望まれる。
【０００８】
この発明は、このような事情に鑑みてなされたものであって、発泡などによる液体の飛散を防止することができる液体滴下補助装置を提供することを目的とする。
【課題を解決するための手段】
【０００９】
この発明は、このような目的を達成するために、次のような構成をとる。
すなわち、この発明に係る液体滴下補助装置（前者の発明）は、液体を滴下して採取する穴を有した容器に用いられる液体滴下補助装置であって、前記液体滴下補助装置は、前記容器の穴に連通する貫通孔を有し、前記容器と接する面と反対側の面に貼りつけられた薄膜を備えることを特徴とするものである。
【００１０】
［作用・効果］この発明に係る液体滴下補助装置（前者の発明）によれば、吐出部先端から液体滴下補助装置に向けて液体を吐出する前に、液体を滴下して採取する穴を有した容器と、当該液体滴下補助装置とを、当該穴が液体滴下補助装置の貫通孔に一致するように設定する。液体滴下補助装置には容器と接する面と反対側の面に薄膜を貼りつけて備えており、液体が液体滴下補助装置の外部へ漏れ出ないようになっている。吐出部が薄膜を破って吐出部先端が貫通孔の内部に進入した段階で液体を吐出して、貫通孔を介して穴の入口にまで液体を滴下する。この液体の滴下の際に発泡して穴の入口に滴下できなかった液体も薄膜により外に漏れ出ることなく穴の入口に再度入っていく。その結果、発泡などによる液体の飛散を防止することができる。
【００１１】
また、この発明に係る液体滴下補助装置（後者の発明）は、液体を滴下して採取する穴を有した容器に用いられる液体滴下補助装置であって、前記液体滴下補助装置は、前記容器の穴に連通する貫通孔を有し、前記容器と接する面側の前記貫通孔の径が、前記接する面とは反対側の面側の前記貫通孔の径よりも大きいことを特徴とするものである。
【００１２】
［作用・効果］この発明に係る液体滴下補助装置（後者の発明）によれば、吐出部先端から液体滴下補助装置に向けて液体を吐出する前に、液体を滴下して採取する穴を有した容器と、当該液体滴下補助装置とを、当該穴が液体滴下補助装置の貫通孔に一致するように設定する。液体滴下補助装置には容器と接する面側の貫通孔の径が、当該接する面とは反対側の面側の貫通孔の径よりも大きくなっており、当該接する方の面よりも当該反対側の面（接しない方の面）の貫通孔の径を小さくするだけで貫通孔を密閉空間としない構造が可能となる。したがって、吐出部先端が貫通孔の内部に進入した段階で液体を吐出して、貫通孔を介して穴の入口にまで液体を滴下する際に、液体とともに送り込まれた気体（例えば空気）の逃げ道を確保することができる。したがって、液体は気体により吹き散らされずに穴の入口に入っていく。その結果、発泡などによる液体の飛散を防止することができる。
【００１３】
上述した後者の発明において、接する面側の貫通孔の径が、容器の穴の径以下であり、接する面とは反対側の面側の貫通孔の径が、液体滴下補助装置に向けて吐出する吐出部先端の径よりも大きいのがより好ましい。吐出部先端から貫通孔を介して穴の入口にまで液体を滴下する際に、下流側に向かって径が徐々に大きくなっていくので、液体が上流側に逆流あるいは飛散することなく、下流側に向かって液体を確実に滴下することができる。
【００１４】
上述した後者の発明の一例は、貫通孔の内壁面を斜面形状に形成することで、（容器と）接する面側の貫通孔の径が、接する面とは反対側の面側の貫通孔の径よりも大きく形成することである。また、上述した後者の発明の他の一例は、貫通孔の内壁面を段差形状に形成することで、（容器と）接する面側の貫通孔の径が、接する面とは反対側の面側の貫通孔の径よりも大きく形成することである。
【００１５】
（前者の発明および後者の発明も含めて）上述したこれらの発明において、液体の一例は血液である。血液は、高粘性で界面活性作用があるので、これらの発明において血液に適用することで、発泡などによる血液の飛散を防止することができる。
【発明の効果】
【００１６】
この発明に係る液体滴下補助装置（前者の発明）によれば、液体滴下補助装置には容器と接する面と反対側の面に薄膜を貼りつけて備えており、吐出部が薄膜を破って貫通孔を介して穴の入口にまで液体を滴下する際に発泡して穴の入口に滴下できなかった液体も薄膜により外に漏れ出ることなく穴の入口に再度入っていく。その結果、発泡などによる液体の飛散を防止することができる。
また、この発明に係る液体滴下補助装置（後者の発明）によれば、容器と接する面側の貫通孔の径が、当該接する面とは反対側の面側の貫通孔の径よりも大きくなっているので、貫通孔の内部が密閉空間でないことから気体の逃げ道を確保することができ、液体は気体により吹き散らされずに穴の入口に入っていく。その結果、発泡などによる液体の飛散を防止することができる。
【図面の簡単な説明】
【００１７】
【図１】各実施例に係る採血装置および測定装置の概略斜視図である。
【図２】各実施例に係る円板の概略平面図である。
【図３】（ａ）は実施例１に係る樹脂基板の概略平面図、（ｂ）は（ａ）のＡ−Ａ矢視断面図である。
【図４】（ａ）は実施例２に係る樹脂基板の概略平面図、（ｂ）は（ａ）のＡ−Ａ矢視断面図、（ｃ）は（ｂ）とは別の実施形態の（ａ）のＡ−Ａ矢視断面図である。
【図５】従来の採血装置および測定装置の概略斜視図である。
【図６】従来の空気穴を有した樹脂基板の概略斜視図である。
【実施例１】
【００１８】
以下、図面を参照してこの発明の実施例１を説明する。
図１は、各実施例に係る採血装置および測定装置の概略斜視図である。後述する実施例２も含めて、本実施例１では、採取の対象となる液体として血液を例に採って説明するとともに、採血装置に用いられる液体滴下補助装置として、樹脂基板を例に採って説明する。また、本実施例１で薄膜として用いられるフィルムについては図１では図示を省略する。従来の図５と共通する構成については、同じ符号を付する。
【００１９】
図１に示すように、本実施例１に係る採血装置１０は、測定対象の血液を時系列に分離して採取する。また、採血装置１０の周辺には、採血装置１０で採取された血液中に含まれている放射線（例えばβ線やγ線など）を測定する測定装置３０を備えている。後述する実施例２も含めて、本実施例１では、マウスの体内への放射性薬剤の投与後の血液を採取（すなわち採血）して、血液中に含まれている放射線を測定する。また、遠心分離による血漿分離を行い、血漿分離された血漿および血球に含まれている放射線をそれぞれ測定する。
【００２０】
採血装置１０は、２枚のＰＤＭＳ樹脂（Polydimethylsiloxane）からなるＰＤＭＳ基板１１，１２を上下に重ねて構成された微小流体素子（液体分割デバイス）４０を備えている。ＰＤＭＳ基板１１，１２に対して所定の寸法で溝加工を施しており、その溝加工の溝によって主流路１３および側路４１，４２，４３をそれぞれ形成している。ここで、採血装置１０の素材はＰＤＭＳに限定されず、アクリル、ポリカーボネート、COP（シクロオレフィンポリマー）など樹脂光学的に透明なものであれば良い。
【００２１】
主流路１３の血液入口側にはカテーテル１４を配設しており、主流路１３とカテーテル１４とを、コネクタ１５を介して接続している。血液はカテーテル１４から主流路１３に連続的に送り込まれ、流入量はバルブ（図示省略）で制御される。主流路１３の血液出口側には血液用配管１６を配設しており、主流路１３と血液用配管１６とを、コネクタ１７を介して接続している。
【００２２】
主流路１３を挟んで光源２１およびフォトダイオード２２を配設している。主流路１３を流れる血液あるいは後述するヘパリン溶液に光源２１から光を照射し、血液による遮光をフォトダイオード２２が検知することで、その血液あるいはヘパリン溶液を光学的に監視（モニタ）しながら後述する血液あるいはヘパリン溶液の長さ情報を測定する。ここでは光学測定手段として光源２１およびフォトダイオード２２を例に採って説明したが、測定対象の液体を光学的に監視しながら液体の間隔を測定する手段であれば、光源２１およびフォトダイオード２２に限定されない。例えば、ＣＣＤカメラによって測定対象の液体の体積情報を取得してもよい。また、光源２１およびフォトダイオード２２は、図１に示すように主流路１３を挟んで互いに対向配置される構成で、血液による遮光で検知する、いわゆる「透過型センサ」であったが、光源に対してフォトダイオードに代表される光検出手段を同じ側に配設し、血液による反射光で検知する、いわゆる「反射型センサ」であってもよい。
【００２３】
一方、上述した血液用配管１６の下流側にはノズル２３を接続している。ノズル２３としては、注射針やガラス管など毛細管を使用する。ここで、液体を吐出する吐出部としてノズル２３を用いているが、ディスペンサを使用してもよい。このノズル２３から滴下した血液を受け取って収容する円板（「ＣＤウェル」とも呼ばれる）２４を配設している。円板２４の中央側には、滴下された血液を受け取る複数の開口部からなる流路入口２５（図２を参照）を放射状に配設している。円板２４に対しても、上述したＰＤＭＳ基板１１，１２と同様に、溝加工を施しており、その溝加工の溝によってＵ字型の溝からなる複数本のＵ字流路２６（図２を参照）を放射状に形成している。各々のＵ字流路２６は、上述した流路入口２５の外側一端に一対一でそれぞれ接続されており、各々のＵ字流路２６は、円板２４の径方向に延びて形成されている。このように、ノズル２３を介在させることで、主流路１３に対して血液が流通可能に円板２４が形成されることになる。円板２４は、この発明における容器に相当し、流路入口２５およびＵ字流路２６は、この発明における容器の穴に相当する。円板２４の具体的な構成については、図２以降で後述する。
【００２４】
一方、測定装置３０は、読取部３１を備えている。この読取部３１には、露光後のイメージングプレートＩＰを挿入するためのカバー部を設けており、イメージングプレートＩＰから励起された光を読み取ることで血液中に含まれているβ＋線を検出する。具体的には、図１（ｂ）に示すように、読取部３１は、レーザ光源３２とフォトマルチプライヤチューブ（光電子増倍管）３３とを備えており、レーザ光源３２からイメージングプレートＩＰにレーザを照射して、イメージングプレートＩＰへのレーザ照射によって励起された光をフォトマルチプライヤチューブ３３が電子に変換して増倍させることで、β＋線を２次元的に同時に検出する。
【００２５】
上述したように、微小流体素子４０は、血液を送り込む主流路１３と、血液凝固の発生を防ぐための抗凝固剤の一種であるヘパリン溶液を送り込む側路４１と、空気あるいはガスを送り込む側路４２と、血液あるいはヘパリン溶液を排出する側路４３とを備えている。
【００２６】
側路４１の溶液入口側には洗浄液用配管４４を配設しており、側路４１と洗浄液用配管４４とを、コネクタ４５を介して接続している。必要に応じて主流路１３にヘパリン溶液を洗浄液用配管４４から側路４１を介して流し込むことで流路を洗浄する。ヘパリン溶液の流入量はバルブで制御される。抗凝固剤はヘパリン溶液に限定されない。
【００２７】
側路４２の気体入口側には気泡用配管４６を配設しており、側路４２と気泡用配管４６とを、コネクタ４７を介して接続している。圧力発生器（図示省略）で制御された空気あるいはガスの流入時間をバルブで調整して、側路４２を通して主流路１３に送り込む。この気泡によって血液の長さ情報に基づく血液の取り出しと微小流体素子４０の流路に残留する廃液（血液、ヘパリン溶液あるいはこれらの混合液）の排出を行う。ここで、送り込まれるガスについては限定されず、ヘリウムやネオンやアルゴンなどの希ガス、あるいは窒素ガスに例示されるように、血液やヘパリン溶液と反応しないガスであれば良い。
【００２８】
気泡用配管４６は、側路１４を通って主流路１３に気体（例えば空気やガスなど）を送り込み、指定された所定の間隔でその気体を気泡として挿入することで、測定対象の血液を時系列的に分離して円板２４に送り出す。つまり、気泡は、セパレータとしての機能を果たす。なお、セパレータとして気体を使用したが、気体に限定されずに、測定対象の液体（各実施例１、２では血液）に対して混合する可能性が少ない、あるいは可能性がなければ、測定対象の液体とは別の液体をセパレータとして使用してもよい。後述する実施例２も含めて、本実施例１のように測定対象の液体が血液の場合には、ミネラルオイルやフッ素系のオイルなどに代表されるように血液と相互に混ざり合わない液体をセパレータとして使用してもよい。但し、液体をセパレータとして使用する場合には、血液と接触するのでセパレータとして使用できるが、円板２４に送り出して採取する点では望ましくない。
【００２９】
側路４３の廃液出口側には廃液用配管４８を配設しており、側路４３と廃液用配管４８とを、コネクタ４９を介して接続している。バルブで排出量を調整して採血されるべき血液以外の血液や、流路洗浄後のヘパリン溶液や、これらの混合液を廃液として排出する。
【００３０】
また、主流路１３のコネクタ１５よりも下流にバルブを配設し、主流路１３のコネクタ１７、光源２１およびフォトダイオード２２よりも上流にバルブを配設している。側路４１のコネクタ４５よりも下流にバルブを配設し、側路４２のコネクタ４７よりも下流にバルブを配設している。また、側路４３のコネクタ４９よりも上流にバルブを配設している。
【００３１】
次に、円板２４の具体的な構成について、図１も含めて図２を参照して説明する。図２は、各実施例に係る円板の概略平面図である。
【００３２】
円板２４のＵ字流路２６は、図２に示すように、上述の流路入口２５と空気穴２７とをつないで形成されている。血液の導入口である流路入口２６を血液の上流部、空気穴２７を下流部としたときに、上流部から下流部へは、Ｕ字流路２６は、円板２４の径方向に内側から外側に向かって延びて、折り返して円板２４の径方向に外側から内側に向かって延びて形成されたＵ字型となっている。かかるＵ字流路２６を複数に備えている。
【００３３】
図１に示すように、円板２４の中央に円板２４を回転させるモータ２８を備えている。モータ２８の回転軸２９を円板２４に連結させることで、モータ２８による円板２４の遠心力を利用して、血液を遠心分離させて血漿および血球に分離する血漿分離を行う。
【００３４】
後述する実施例２も含めて、本実施例１では、円板２４はアクリル板で形成されている。円板２４の素材はアクリルに限定されず、上述のＰＤＭＳ、その他、ポリカーボネート、ＣＯＰなど樹脂光学的に透明なものであれば良い。
【００３５】
さらに、図１に示すように、ノズル２３から円板２４に血液を確実に滴下するために、液体滴下補助装置として、樹脂基板５０を備えている。樹脂基板５０は、この発明における液体滴下補助装置に相当する。
【００３６】
次に、樹脂基板５０の具体的な構成について、図１も含めて図３を参照して説明する。図３（ａ）は、実施例１に係る樹脂基板の概略平面図であり、図３（ｂ）は、図３（ａ）のＡ−Ａ矢視断面図である。
【００３７】
樹脂基板５０は、図３（ａ）の平面図に示すように円環状である。樹脂基板５０は、図２の円板２４と同じアクリル樹脂で形成されている。樹脂基板５０の素材についてもアクリルに限定されず、ＰＤＭＳ、ポリカーボネート、ＣＯＰなど樹脂光学的に透明なものであれば良い。また、樹脂基板５０は必ずしも円板２４と同じ材質で形成される必要はない。
【００３８】
本実施例１では、樹脂基板５０は、図３（ｂ）の断面図に示すように図２の円板２４の流路入口２５（図２を参照）と同じ直径を有した円筒形状の貫通孔５１を有しており、円板２４と重ねたときに貫通孔５１が流路入口２５と一致して連通するように設計されている。通常、貫通孔５１はＵ字流路２６（図２を参照）と同数有し、図３（ａ）では３６個の貫通孔５１を有する。貫通孔５１は、この発明における貫通孔に相当する。
【００３９】
本実施例１では、さらに、図３（ｂ）の平面図に示すように容器に相当する図２の円板２４と接する面と反対側の面にフィルム５２を貼りつけて備えている。円板２４の上面に樹脂基板５０を重ねて設置するので、樹脂基板５０から見ると、円板２４と接する面が下面となり、反対側の面が上面となる。したがって、樹脂基板５０の上面にフィルム５２を貼りつける。本実施例１では、フィルム５２としてセロハンテープ（cellophane tape）を使用する。セロハンテープについては市販の物で代用できる。後述する理由から明らかなように、注射針からなるノズル１３（図１を参照）が破れる程度の厚み（１００μｍ〜数１００μｍ程度の厚み）であれば、フィルム５２についてはセロハンテープに限定されず、粘着性を有しないフィルムなどに例示されるように、セロハンテープ以外の薄膜であってもよい。フィルム５２は、この発明における薄膜に相当する。
【００４０】
図２の円板２４の上面に樹脂基板５０を重ねて設置する際には、貫通孔５１と流路入口２５（図２を参照）とが一致するように円板２４および樹脂基板５０をそれぞれ位置決めした後に、円板２４と樹脂基板５０とを粘着テープまたは接着剤で固定する。
【００４１】
採血装置１０において既定体積で切り出された血液は気体（例えば空気やガスなど）によって採血装置１０の主流路１３からノズル２３へ圧送される。ノズル２３から滴下する前にノズル２３を下げて、フィルム５２を破って貫通孔５１の内部に進入させた段階で、気体で血液をノズル２３から送り出して吐出する。ノズル２３から滴下された血液は流路入口２５に落ち、滴下の際に発泡して流路入口２５に滴下できなかった血液も樹脂基板５０の上面がフィルム５２で塞がれているので、貫通孔５１の内部に留まり流路入口２５に入っていく。血液の滴下後にノズル２３を上げて円板２４および樹脂基板５０から抜き出す。
【００４２】
本実施例１に係る樹脂基板５０によれば、吐出部（各実施例ではノズル２３）先端から液体滴下補助装置（各実施例では樹脂基板５０）に向けて液体（各実施例では血液）を吐出する前に、液体（血液）を滴下して採取する穴（各実施例では流路入口２５）を有した容器（各実施例では円板２４）と、当該液体滴下補助装置（樹脂基板５０）とを、当該穴（流路入口２５）が液体滴下補助装置（樹脂基板５０）の貫通孔５１に一致するように設定する。液体滴下補助装置（樹脂基板５０）には容器（円板２４）と接する面（下面）と反対側の面（上面）に薄膜（本実施例１ではフィルム５２）を貼りつけて備えており、液体（血液）が液体滴下補助装置（樹脂基板５０）の外部へ漏れ出ないようになっている。吐出部（ノズル２３）が薄膜（フィルム５２）を破って吐出部（ノズル２３）先端が貫通孔５１の内部に進入した段階で液体（血液）を吐出して、貫通孔５１を介して穴の入口（流路入口２５）にまで液体（血液）を滴下する。この液体（血液）の滴下の際に発泡して穴の入口（流路入口２５）に滴下できなかった液体（血液）も薄膜（フィルム５２）により外に漏れ出ることなく穴の入口（流路入口２５）に再度入っていく。その結果、発泡などによる液体（血液）の飛散を防止することができる。
【００４３】
後述する実施例２も含めて、本実施例１では、液体は血液である。血液は、高粘性で界面活性作用があるので、本実施例１において血液に適用することで、発泡などによる血液の飛散を防止することができる。
【実施例２】
【００４４】
次に、図面を参照してこの発明の実施例２を説明する。
図４（ａ）は、実施例２に係る樹脂基板の概略平面図であり、図４（ｂ）は、図４（ａ）のＡ−Ａ矢視断面図であり、図４（ｃ）は、図４（ｂ）とは別の実施形態の図４（ａ）のＡ−Ａ矢視断面図である。上述した実施例１と共通する構成については同じ符号を付して、その説明を省略するとともに、図示を省略する。また、本実施例２に係る採血装置および測定装置については、実施例１でも述べた図１と同じ構成であり、本実施例２に係る円板についても、実施例１でも述べた図２と同じ構成であるので、その説明および図示を省略する。
【００４５】
上述した実施例１と同様に、樹脂基板５０は、図４（ａ）の平面図に示すように円環状であり、樹脂基板５０の材質についても実施例１と同じであるので、その説明を省略する。実施例１ではフィルム５２（図３を参照）を備えていたが、本実施例２ではフィルムを備えない。
【００４６】
本実施例２では、樹脂基板５０は貫通孔５１を有しており、図２の円板２４と重ねたときに貫通孔５１が流路入口２５（図２を参照）と一致して連通するように設計されている。貫通孔５１はＵ字流路２６（図２を参照）と同数（各実施例では３６個）有している。貫通孔５１は、この発明における貫通孔に相当する。
【００４７】
本実施例２では、貫通孔５１は、図４（ｂ）あるいは図４（ｃ）の断面図に示すように、図２の円板２４と接する面（下面）をＰＢとし、接する面（下面）ＰＢとは反対側の面（上面）をＰＵとしたときに、下面ＰＢ側の貫通孔５１の直径が上面ＰＵ側の貫通孔５１の直径よりも大きくなるように設計されている。円板２４と接する面（下面）ＰＢ側の貫通孔５１の直径は、流路入口２５（図２を参照）と同じ直径あるいはそれ以下である。また、反対側の面（上面）ＰＵ側の貫通孔５１の直径は、ノズル２３（図１を参照）先端の外径の２倍以上になっている。
【００４８】
図４（ｂ）の場合には、貫通孔５１の内壁面を斜面形状に形成することで、下面ＰＢ側の貫通孔５１の直径が、上面ＰＵ側の貫通孔５１の直径よりも大きく形成している。また、図４（ｃ）の場合には、貫通孔５１の内壁面を段差形状に形成することで、下面ＰＢ側の貫通孔５１の直径が、上面ＰＵ側の貫通孔５１の直径よりも大きく形成している。段差の数や、段差の広さなどについては特に限定されない。
【００４９】
上述した実施例１と同様に、図２の円板２４の上面に樹脂基板５０を重ねて設置する際には、貫通孔５１と流路入口２５（図２を参照）とが一致するように円板２４と樹脂基板５０とを粘着テープまたは接着剤で固定して位置決めする。
【００５０】
採血装置１０において既定体積で切り出された血液は気体（例えば空気やガスなど）によって採血装置１０の主流路１３からノズル２３へ圧送される。ノズル２３から滴下する前にノズル２３を下げて、貫通孔５１の内部に進入させた段階で、気体で血液をノズル２３から送り出して吐出する。血液の滴下後にノズル２３を上げて円板２４および樹脂基板５０から抜き出す。
【００５１】
本実施例２に係る樹脂基板５０によれば、吐出部（各実施例ではノズル２３）先端から液体滴下補助装置（各実施例では樹脂基板５０）に向けて液体（各実施例では血液）を吐出する前に、液体（血液）を滴下して採取する穴（各実施例では流路入口２５）を有した容器（各実施例では円板２４）と、当該液体滴下補助装置（樹脂基板５０）とを、当該穴（流路入口２５）が液体滴下補助装置（樹脂基板５０）の貫通孔５１に一致するように設定する。液体滴下補助装置（樹脂基板５０）には容器（円板２４）と接する面（下面）ＰＢ側の貫通孔５１の径（本実施例２では直径）が、当該接する面（下面）ＰＢとは反対側の面（上面）ＰＵ側の貫通孔５１の径（直径）よりも大きくなっており、当該接する方の面（下面）ＰＢよりも当該反対側の面（接しない方の面：上面）ＰＵの貫通孔５１の径（直径）を小さくするだけで貫通孔５１を密閉空間としない構造が可能となる。したがって、吐出部（ノズル２３）先端が貫通孔５１の内部に進入した段階で液体（血液）を吐出して、貫通孔５１を介して穴の入口（流路入口２５）にまで液体（血液）を滴下する際に、液体（血液）とともに送り込まれた気体（例えば空気）の逃げ道を確保することができる。したがって、液体（血液）は気体により吹き散らされずに穴の入口（流路入口２５）に入っていく。その結果、発泡などによる液体（血液）の飛散を防止することができる。
【００５２】
本実施例２では、好ましくは、接する面（下面）ＰＢ側の貫通孔５１の径（直径）が、容器（円板２４）の穴（流路入口２５）の径（直径）以下であり、接する面（下面）ＰＢとは反対側の面（上面）ＰＵ側の貫通孔５１の径（直径）が、液体滴下補助装置（円板２４）に向けて吐出する吐出部（ノズル２３）先端の径（外径）よりも大きい。本実施例２ではノズル２３の外径の２倍以上で上面ＰＵ側の貫通孔５１の直径が形成されている。吐出部（ノズル２３）先端から貫通孔５１を介して穴の入口（流路入口２５）にまで液体（血液）を滴下する際に、下流側に向かって径が徐々に大きくなっていくので、液体（血液）が上流側に逆流あるいは飛散することなく、下流側に向かって液体（血液）を確実に滴下することができる。
【００５３】
上述の実施例１も含めて、本実施例２では、液体は血液である。血液は、高粘性で界面活性作用があるので、本実施例２において血液に適用することで、発泡などによる血液の飛散を防止することができる。
【００５４】
この発明は、上記実施形態に限られることはなく、下記のように変形実施することができる。
【００５５】
（１）上述した各実施例では、貫通孔は円形状であって、径は円の直径であったが、径は必ずしも円の直径や半径に限定されない。楕円形状の貫通孔の短軸あるいは長軸の長さを径としてもよいし、四角形状の貫通孔の対角を結ぶ線の大きさを径としてもよい。
【００５６】
（２）上述した各実施例では、採取の対象となる液体として血液を例に採って説明したが、採取の対象となる液体であれば、血液に限定されずに、放射性物質や蛍光剤が含まれた液体や、分析装置に用いられる混合液などであってもよい。また、採取の対象となる液体は、遠心分離の対象となる液体でなくともよい。
【００５７】
（３）上述した各実施例では、容器は遠心分離を行う円板であったが、採取の対象となる液体は、遠心分離の対象となる液体でない場合には、液体を滴下して採取する穴を有した容器であれば、円板に限定されない。方形の板や多角形の板などであってもよい。
【００５８】
（４）上述した各実施例では、容器（各実施例では円板２４）の径方向に沿って溝加工を放射状に施すことで、径方向に形成されたＵ字流路２６を複数に設けたが、必ずしも放射状に配設する必要はない。例えば、互いに平行に配設してもよい。また、Ｕ字経路に限定されず、単なる穴のみを有する構造であってもよい。
【００５９】
（５）上述した各実施例では、貫通孔は穴（各実施例ではＵ字流路２６）と同数有したが、必ずしも同数である必要はない。例えば、液体を滴下するたびに穴（流路入口２６）を共有して採取してもよいし、逆に液体を滴下するたびに貫通孔５１を共有して滴下してもよい。
【００６０】
（６）上述した各実施例では、液体滴下補助装置は、円環状の樹脂基板５０であったが、円環状である必要はない。円板２４と同様に中心部においても平板状であってもよい。
【００６１】
（７）上述した各実施例では、液体滴下補助装置は、容器に相当する円板２４と同じ形状に合わせて円状の樹脂基板５０であったが、容器の形状に合わせて様々な形状に適用してもよいし、必ずしも容器の形状と同じ形状にする必要はない。
【００６２】
（８）上述した実施例１では、薄膜に相当するフィルム５２は、円環状の樹脂基板５０のみに貼り付けられていたが、中心部（中空部分）にまでフィルム５２を貼りつけてもよい。
【符号の説明】
【００６３】
２４  …  円板
２５  …  流路入口
２６  …  Ｕ字流路
５０  …  樹脂基板
５１  …  貫通孔
５２  …  フィルム
ＰＢ  …  下面
ＰＵ  …  上面
【図１】
2014211308.tif 000003
【図２】
2014211308.tif 000004
【図３】
2014211308.tif 000005
【図４】
2014211308.tif 000006
【図５】
2014211308.tif 000007
【図６】
2014211308.tif 000008